(57)【要約】      （修正有）【課題】各申請書類に貼る写真に対応し、貼付予定の写真上に適した位置、適したサイズに、写真を切り取る四角の切り取り線を素早く引くことができる補助具。【解決手段】透明性の板（１）に四角孔（２）を設けて、その四角孔（２）の左辺の左横部に上から下への縦目盛り（３）、上辺の上部に左から右への横目盛り（４）、右辺の右横部に下から上への縦目盛り（５）と下辺の下部に右から左への横目盛り（６）を設けた構成になっており、その四角孔（２）を写真上の適した位置に置き、写真上に四角な切り取り線を引くことができるものである。【選択図】図１
2018047542.tif 000002
【特許請求の範囲】
【請求項１】
写真に四角の切取り線を記入する機能を有する写真切り取り補助具であって、
透明性の板に四角孔を備え、
四角孔の左辺の左横部に上から下への縦目盛りを備え、
上辺の上部に左から右への横目盛りを備え、
右辺の右横部に下から上への縦目盛りを備え、
下辺の下部に右から左への横目盛りを備えている補助具であり、
対象写真の上の適切な位置に四角孔を置き、左辺の縦目盛りに沿って希望の長さの左辺の縦線を引き、上辺の横目盛りに沿って希望の長さの上辺の横線を引く、
そして四角孔を移動させ、
左辺縦線下端と下辺目盛りまたは下辺が合致し、且つ、上辺横線右端が右辺目盛りまたは右辺が合致した位置で四角孔を固定し、
右辺の縦線を引き、下辺の横線を引けば、
写真上に四角形の希望したサイズの写真を切り取りための線を引くことができる写真切り取り補助具。
【発明の詳細な説明】
【技術分野】
【０００１】  本発明は、撮影した証明写真を運転免許証、履歴書等の様々な申請書類が指定するサイズに切り取る際、各申請書類が指定するサイズに適した位置に合わせながら、素早く写真上に上辺線、左辺線、右辺線、下辺線の四角な切り取り線を引くことができる、写真切り取り補助具に関するものである。
【背景技術】
【０００２】  従来、定規を用いて、各申請書類が指定する写真のサイズに合うように、始点を印し終点を印して、始点と終点を結ぶ切り取り線を引くという行為を縦線２回、横線２回の合計で４回も行わなければならず、非常に不便で時間がかかるものである。
【発明の概要】
【発明が解決しようとする課題】
【０００３】  従来、各証明写真を切取る際、適した位置で適したサイズに切り取るべきなのだが、各申請書類が指定する写真の四角なサイズに対して大き過ぎたり小さ過ぎたり、又、左右に片寄っていたりと、適度な位置で四角に納めることが難しいものであった。
本発明は、以上の問題点を解決し、写真上の適した位置で適したサイズに写真を切り取るための四角な切り取り線を素早く引くことができるものである。
【課題を解決するための手段】
【０００４】  図１、透明性の板（１）に四角孔（２）を設け、その四角孔（２）の左辺の左横部に上から下への縦目盛り（３）、上辺の上部に左から右への横目盛り（４）、右辺の右横部に下から上への縦目盛り（５）と下辺の下部に右から左への横目盛り（６）を設ける。
本発明は、以上の構成となっており、その四角孔（２）を写真上の適した位置に置き、左辺の縦目盛り（３）に合せて希望の長さの図２左辺縦線（７）を引き、上辺の横目盛り（４）に合せて希望の長さの図２上辺横線（８）を引くことにより図２左辺縦線（７）と図２上辺横線（８）が確定する。その図２左辺縦線（７）と図２上辺横線（８）に合せて四角孔（２）を左上方向に移動させ、右辺の縦目盛り（５）が図２上辺横線（８）の右端と合致し、且つ、下辺の横目盛り（６）が図２左辺縦線（７）の下端と合致した位置で四角孔（２）を固定して、右辺の縦線を引き、下辺の横線を引くことにより、写真上に四角な切り取り線を引くことができるものである。
【発明の効果】
【０００５】  各申請書類に貼る写真に対応しており、貼付予定の写真上に適した位置、適したサイズに、写真を切り取る四角の切り取り線を素早く引くことができ便利である。
【図面の簡単な説明】
【０００６】
【図１】本発明の正面図
【図２】写真に書かれた左辺縦線と上辺横線の図
【図３】目盛が上辺と左辺の２形態の正面図
【図４】類似形態の正面図
【発明を実施するための最良の形態】
【０００７】  図１、透明性の板（１）に四角孔（２）を設けて、その四角孔（２）の左辺の左横部に上から下への縦目盛り（３）、上辺の上部に左から右への横目盛り（４）、右辺の右横部に下から上への縦目盛り（５）と下辺の下部に右から左への横目盛り（６）を設けて、四角孔と目盛りに従えば、様々な証明写真のサイズの切り取りに対応できるものである。
【実施例】
【０００８】  例えば、履歴書に貼る予定の撮影した写真があり、履歴書で指定されているサイズの縦４ｃｍ、横３ｃｍに切り取る場合、その写真の上に本発明の四角孔（２）を適した位置に置き、左辺の縦目盛り（３）に合せて４ｃｍの長さの図２左辺縦線（７）を引き、上辺の横目盛り（４）に合せて３ｃｍの長さの図２上辺横線（８）を引くことにより、図２左辺縦線（７）４ｃｍと図２上辺横線（８）３ｃｍが確定する。その図２左辺縦線（７）と図２上辺横線（８）に合せて四角孔（２）を左上方向に移動させ、右辺の縦目盛り（５）が図２上辺横線（８）の右端と合致する４ｃｍと、下辺の横目盛り（６）が図２左辺縦線（７）の下端と合致する３ｃｍの位置で四角孔（２）を固定して、右辺の縦線を引き、下辺の横線を引くことにより、写真上に縦４ｃｍ、横３ｃｍの四角な切り取り線を引くことができるものである。写真に切り取り線が引いてあるので、後は鋏で切り取るだけである。【０００９】  例えば、パスポートに貼る予定の撮影した写真があり、パスポートで指定されているサイズの縦４．５ｃｍ、横３．５ｃｍに切り取る場合、その写真の上に本発明の四角孔（２）を適した位置に置き、左辺の縦目盛り（３）に合せて４．５ｃｍの長さの図２左辺縦線（７）を引き、上辺の横目盛り（４）に合せて３．５ｃｍの長さの図２上辺横線（８）を引くことにより、図２左辺縦線（７）４ｃｍと図２上辺横線（８）３ｃｍが確定する。その図２左辺縦線（７）と図２上辺横線（８）に合せて四角孔（２）を左上方向に移動させ、右辺の縦目盛り（５）が図２上辺横線（８）の右端と合致し、且つ、下辺の横目盛り（６）が図２左辺縦線（７）の下端と合致した位置で四角孔（２）を固定して、右辺の縦線を引き、下辺の横線を引くことにより、写真上に縦４．５ｃｍ、横３．５ｃｍの四角な切り取り線を引くことができるものである。写真に切り取り線が引いてあるので、後は鋏で切り取るだけである。
【産業上の利用可能性】
【００１０】  本発明は、運転免許証、履歴書、パスポート及びマイナンバー等の様々な申請書類に使用する写真の切り取りに対応しており、単品で雑貨店などの市場において販売を実施することも可能であるが、付属品として履歴書など各申請書類と共に販売を実施することも可能と考えられる。
【符号の説明】
【００１１】    （１）  透明板
（２）  四角孔
（３）  左辺の上から下への縦目盛り
（４）  上辺の左から右への横目盛り
（５）  右辺の下から下への縦目盛り
（６）  下辺の左から右への横目盛り
（７）  左辺縦線
（８）  上辺横線
（９）  切り取り対象の写真
（１０）  写真に写っている顔
（１１）  上辺の左から右への横目盛り
（１２）  左辺の上から下への縦目盛り
（１３）  左辺と上辺の線を引く直角な孔
（１４）  右辺と下辺の線を引く直角な孔
【図１】
2018047542.tif 000003
【図２】
2018047542.tif 000004
【図３】
2018047542.tif 000005
【図４】
2018047542.tif 000006